(57)【要約】【課題】単電池の電極端子に特殊な加工を施すことなく、これらの単電池を直列接続する際の工数を削減することができる電池配線モジュールを提供する。【解決手段】隣り合う２つの電極端子１４を電気的に接続する複数の接続部材１５と、単電池群１２の最外側に位置する２つの単電池１１の、各接続部材１５と接続されない残りの電極端子１４にそれぞれ接触する２つの電力取出端子１６と、各電力取出端子１６とこれに接触する電極端子１４とを締結するナット３４と、平面状態と下側が鈍角となる折れ曲がった状態とに屈伸するように接続された樹脂製の第１プレート１３Ａ及び第２プレート１３Ｂと、を備え、第１プレート１３Ａと第２プレート１３Ｂは、それぞれの側面部に接続部材１５と電力取出端子１６を保持する。【選択図】図１
2017076546.tif 000002
【特許請求の範囲】
【請求項１】
隣り合う２つの単電池間で隣り合う２つの電極端子の極性が互いに異なるように複数の単電池を並べて構成される単電池群を直列接続するための電池配線モジュールであって、
前記極性が互いに異なる隣り合う２つの電極端子を電気的に接続する複数の接続部材と、
前記単電池群の最外側に位置する２つの単電池の、各前記接続部材と接続されない残りの前記電極端子にそれぞれ接触する２つの電力取出端子と、
前記各電力取出端子とこれに接触する前記電極端子とを締結する締結部材と、
平面状態と下側が鈍角となる折れ曲がった状態とに屈伸するように接続された樹脂製の第１プレート及び第２プレートと、を備え、
前記２つの電力取出端子は、前記第１プレートの側面部に設けられるか、又は前記第１プレート及び前記第２プレートの側面部に分配して設けられ、
前記第１プレートと前記第２プレートは、それぞれの側面部に前記接続部材を保持しており、前記単電池群の上面に前記平面状態に載置されたときに、前記複数の接続部材が対応する前記電極端子に接続状態になるとともに前記２つの電力取出端子が対応する前記電極端子に接続状態になることを特徴とする電池配線モジュール。
【請求項２】
前記単電池群は、奇数個の単電池を並べて構成され、
前記２つの電力取出端子は、前記最外側に位置する２つの単電池に関して対角位置に配置されるように、前記第１プレートと前記第２プレートとに分かれて設けられていることを特徴とする請求項１に記載の電池配線モジュール。
【請求項３】
前記単電池群は、偶数個の単電池を並べて構成され、かつ、当該偶数個の単電池はそれぞれ奇数個の第１グループと第２グループとに分けられ、
前記２つの電力取出端子は、前記第１プレートの側面部に設けられ、
前記第２プレートにおいて、互いに隣り合って配置される接続部がＵ字型である２つのＵ字端子と、
前記２つのＵ字端子を接続するバスバーと、を更に備え、
前記２つの電力取出端子の一方と前記２つのＵ字端子の一方とで、前記第１グループの奇数個の単電池を直列接続し、
前記２つの電力取出端子の他方と前記２つのＵ字端子の他方とで、前記第２グループの奇数個の単電池を直列接続することを特徴とする請求項１に記載の電池配線モジュール。
【請求項４】
各前記接続部材は、弾性変形する湾曲部を有し、前記第１プレートと前記第２プレートとが前記平面状態で前記単電池群の上面に載置されるときに、前記湾曲部が対応する２つの前記電極端子に当接して弾性変形し圧着するように構成されたことを特徴とする請求項１から請求項３のいずれか１項に記載の電池配線モジュール。
【請求項５】
各前記接続部材は、弾性変形可能な係止爪を有する係合部を備え、
前記第１プレート及び前記第２プレートは、
前記複数の接続部材の前記係合部が挿入される複数の挿入穴と、
前記係合部が前記挿入穴の所定の位置まで挿入された場合に、前記係止爪を係止する係合受け部と、を備えることを特徴とする請求項４に記載の電池配線モジュール。
【発明の詳細な説明】
【技術分野】
【０００１】
本発明は、電池配線モジュールに関する。
【背景技術】
【０００２】
従来、単電池の電極端子をバスバーを介してボルト止めすることにより、複数の単電池を直列に接続する電池配線モジュールが提案されている。しかしながら、このような従来の電池配線モジュールは、単電池の電極端子１つにつき１個のナットでボルト止めを行っているため、接続する単電池の個数が増えると工数がかさむという問題があった。
【０００３】
そこで、単電池を接続する際の工数を減らす構成として、図１５，１６に示すように、単電池４１の２つの電極端子４４につき１組のボルト４８とナット４９でボルト止めを行う電池配線モジュール４０を備えた電池モジュールが既に知られている（例えば、特許文献１参照）。
【０００４】
図１６に示すように、単電池４１Ａ，４１Ｂの電極端子４４はＬ型に直角曲げされている。単電池４１は、このＬ型の曲げ方向により２種類に分類される。各電極端子４４Ｐ，４４Ｎには、ボルト４８が挿通する挿通口４７が開口されており、隣り合う２つの単電池４１の電極端子４４同士を共締めできるようになっている。
【先行技術文献】
【特許文献】
【０００５】
【特許文献１】特開２０１３−３３６３５号公報
【発明の概要】
【発明が解決しようとする課題】
【０００６】
しかしながら、特許文献１に開示されたような従来の電池モジュールにあっては、電極端子の曲げ方向が異なる単電池を２種類用意する必要があるため、単電池の製造や管理に手間がかかるという問題があった。
【０００７】
本発明は、上述のような課題を解決するためになされたもので、単電池の電極端子に特殊な加工を施すことなく、これらの単電池を直列接続する際の工数を削減することができる電池配線モジュールを提供することを目的とする。
【課題を解決するための手段】
【０００８】
本発明に係る電池配線モジュールは、上記目的達成のため、隣り合う２つの単電池間で隣り合う２つの電極端子の極性が互いに異なるように複数の単電池を並べて構成される単電池群を直列接続するための電池配線モジュールであって、前記極性が互いに異なる隣り合う２つの電極端子を電気的に接続する複数の接続部材と、前記単電池群の最外側に位置する２つの単電池の、各前記接続部材と接続されない残りの前記電極端子にそれぞれ接触する２つの電力取出端子と、前記各電力取出端子とこれに接触する前記電極端子とを締結する締結部材と、平面状態と下側が鈍角となる折れ曲がった状態とに屈伸するように接続された樹脂製の第１プレート及び第２プレートと、を備え、前記２つの電力取出端子は、前記第１プレートの側面部に設けられるか、又は前記第１プレート及び前記第２プレートの側面部に分配して設けられ、前記第１プレートと前記第２プレートは、それぞれの側面部に前記接続部材を保持しており、前記単電池群の上面に前記平面状態に載置されたときに、前記複数の接続部材が対応する前記電極端子に接続状態になるとともに前記２つの電力取出端子が対応する前記電極端子に接続状態になるように構成されている。
【０００９】
この構成により、本発明に係る電池配線モジュールは、単電池の電極端子に特殊な加工を施すことなく、これらの単電池を直列接続する際の工数を削減することができる。
【００１０】
また、上記構成の電池配線モジュールにおいて、前記単電池群は、奇数個の単電池を並べて構成され、前記２つの電力取出端子は、前記最外側に位置する２つの単電池に関して対角位置に配置されるように、前記第１プレートと前記第２プレートとに分かれて設けられている構成であってもよい。
【００１１】
この構成により、本発明に係る電池配線モジュールは、第１プレートと第２プレートとが平面状態を維持するように電池配線モジュールを固定することができる。
【００１２】
また、上記構成の電池配線モジュールにおいて、前記単電池群は、偶数個の単電池を並べて構成され、かつ、当該偶数個の単電池はそれぞれ奇数個の第１グループと第２グループとに分けられ、前記２つの電力取出端子は、前記第１プレートの側面部に設けられ、前記第２プレートにおいて、互いに隣り合って配置される接続部がＵ字型である２つのＵ字端子と、前記２つのＵ字端子を接続するバスバーと、を更に備え、前記２つの電力取出端子の一方と前記２つのＵ字端子の一方とで、前記第１グループの奇数個の単電池を直列接続し、前記２つの電力取出端子の他方と前記２つのＵ字端子の他方とで、前記第２グループの奇数個の単電池を直列接続するように構成されていてもよい。
【００１３】
この構成により、本発明に係る電池配線モジュールは、第１プレートと第２プレートとが平面状態を維持するように電池配線モジュールを固定することができる。
【００１４】
また、上記構成の電池配線モジュールにおいて、各前記接続部材は、弾性変形する湾曲部を有し、前記第１プレートと前記第２プレートとが前記平面状態で前記単電池群の上面に載置されるときに、前記湾曲部が対応する２つの前記電極端子に当接して弾性変形し圧着するように構成されていてもよい。
【００１５】
この構成により、本発明に係る電池配線モジュールは、弾性変形による反力で湾曲部と電極端子とを密着させることができる。
【００１６】
また、上記構成の電池配線モジュールにおいて、各前記接続部材は、弾性変形可能な係止爪を有する係合部を備え、前記第１プレート及び前記第２プレートは、前記複数の接続部材の前記係合部が挿入される複数の挿入穴と、前記係合部が前記挿入穴の所定の位置まで挿入された場合に、前記係止爪を係止する係合受け部と、を備える構成であってもよい。
【００１７】
この構成により、本発明に係る電池配線モジュールは、複数の接続部材を第１プレート及び第２プレートの側面部に固定することができる。
【発明の効果】
【００１８】
本発明によれば、単電池の電極端子に特殊な加工を施すことなく、これらの単電池を直列接続する際の工数を削減することができる電池配線モジュールを提供することができる。
【図面の簡単な説明】
【００１９】
【図１】本発明の一実施の形態に係る電池配線モジュールが組み付けられた電池モジュールを示す斜視図である。
【図２】本発明の一実施の形態に係る電池配線モジュールが組み付けられる単電池群を示す斜視図である。
【図３】本発明の一実施の形態に係る電池配線モジュールを示す斜視図である。
【図４】本発明の一実施の形態に係る電池配線モジュールを示す下面図である。
【図５】（ａ）は図４におけるＡ−Ａ線断面図であり、（ｂ）は図４におけるＢ−Ｂ線断面図であり、（ｃ）は本発明の一実施の形態に係る電池配線モジュールにおける電圧検知線を保持する電線保持部を示す断面図であり、（ｄ）は電圧検知用ハーネスを保持する電線保持部を示す断面図である。
【図６】本発明の一実施の形態に係る電池配線モジュールにおける接続部材を示す斜視図である。
【図７】本発明の一実施の形態に係る電池配線モジュールにおける電力取出端子を示す斜視図である。
【図８】本発明の一実施の形態に係る電池配線モジュールにおける接続部材又は電力取出端子が挿入される挿入穴を示す側面図である。
【図９】図４におけるＢ−Ｂ線要部断面図である。
【図１０】本発明の一実施の形態に係る電池配線モジュールを単電池群に組み付ける工程を示す斜視図である。
【図１１】本発明の他の実施の形態に係る電池配線モジュールを示す斜視図である。
【図１２】本発明の他の実施の形態に係る電池配線モジュールにおけるＵ字端子がバスバーで接続される様子を示す斜視図である。
【図１３】本発明の他の実施の形態に係る電池配線モジュールが組み付けられた電池モジュールを示す斜視図である。
【図１４】本発明の他の実施の形態に係る電池配線モジュールにおけるヒンジを示す断面図である。
【図１５】従来の電池モジュールを示す斜視図である。
【図１６】従来の電池モジュールにおける単電池を示す斜視図である。
【発明を実施するための形態】
【００２０】
次に、本発明に係る一実施の形態について図面を参照して説明する。
【００２１】
（第１の実施の形態）
本実施の形態として示す電池配線モジュールは、電気自動車又はハイブリッド自動車等に搭載されて、これらの駆動源として使用される電池モジュールに適用するものである。
【００２２】
図１に示すように、電池モジュール１０は、複数の単電池１１を並列した単電池群１２と、単電池群１２を電気的に接続する電池配線モジュール１３と、を備える。
【００２３】
単電池１１の内部には発電要素が収容されている。図２に示すように、単電池１１の上面における両端部寄りの位置からは、発電要素と電気的に接続された一対の電極端子１４が上方に突出して形成されている。各単電池１１における電極端子１４の極性は、図２における右側と左側とで逆になっている。電極端子１４は概ね円柱形状をなしており、その外周面にはねじ山が形成されている。このねじ山には、後述する締結部材としてのナット３４が螺合されるようになっている。
【００２４】
また、各単電池１１は、隣り合う単電池１１から突出する、隣り合う電極端子１４の極性が互いに異なるように配置されている。このため、図２に示すように、電極端子１４を構成する正極端子１４Ｐと負極端子１４Ｎとは、隣り合うように配されている。なお、単電池群１２を構成する複数の単電池１１は、任意の固定部材によって、各単電池１１が並列された状態で固定されている。
【００２５】
図１に示すように、隣り合う単電池１１の電極端子１４間は単電池群１２に電池配線モジュール１３を組み付けることによって直列に接続されている。図３，４に示すように、電池配線モジュール１３は、隣り合う２つの単電池１１間で隣り合う２つの電極端子１４の間を電気的に接続する複数の接続部材１５を備える。
【００２６】
また、図３に示すように、電池配線モジュール１３は、単電池群１２から電力を取り出すための端子として、単電池群１２の最外側に位置する２つの単電池１１の、各接続部材１５と接続されない残りの電極端子１４Ｐ，１４Ｎにそれぞれ接触する２つの電力取出端子１６Ａ，１６Ｂを備える。
【００２７】
図１に示すように、電池配線モジュール１３は、図１における左側に位置して手前側から奥側に並ぶ複数の電極端子１４に、接続部材１５を介して圧着する第１プレート１３Ａと、図１における右側に位置して手前側から奥側に並ぶ複数の電極端子１４に、接続部材１５を介して圧着する第２プレート１３Ｂと、を備える。
【００２８】
ここで、複数の接続部材１５は、第１プレート１３Ａと第２プレート１３Ｂのそれぞれの側面部に保持されている。また後述するように、第１プレート１３Ａ及び第２プレート１３Ｂは、接続部材１５又は電力取出端子１６が挿入される複数の挿入穴１７を備える。
【００２９】
また、２つの電力取出端子１６は、第１プレート１３Ａ及び第２プレート１３Ｂのそれぞれの側面部に分配して設けられ、それぞれの側面部に保持されている。
【００３０】
さらに、電池配線モジュール１３は、第１プレート１３Ａ及び第２プレート１３Ｂを互いに回動可能に接続するヒンジ１３Ｃを備える。第１プレート１３Ａ、第２プレート１３Ｂ、及びヒンジ１３Ｃは、例えば樹脂からなる。
【００３１】
ヒンジ１３Ｃにより、第１プレート１３Ａと第２プレート１３Ｂとが下側で１８０°未満の所定角度を成すように、つまり、下側が鈍角となるように、第１プレート１３Ａと第２プレート１３Ｂを折れ曲がった状態にすることが可能である。ヒンジ１３Ｃによって折れ曲がった状態の電池配線モジュール１３は、単電池群１２の上面における複数の単電池１１の各一対の電極端子１４間に載置可能である。
【００３２】
また、ヒンジ１３Ｃにより、第１プレート１３Ａと第２プレート１３Ｂとが１８０°開いた状態にすることも可能である。以下、この状態を「平面状態」という。つまり、第１プレート１３Ａと第２プレート１３Ｂは、平面状態と折れ曲がった状態とに屈伸するようにヒンジ１３Ｃによって接続されている。
【００３３】
電池配線モジュール１３は、折れ曲がった状態で単電池群１２の上面に載置されてから平面状態にされることにより、複数の接続部材１５を対応する電極端子１４に接続させるとともに、２つの電力取出端子１６Ａ，１６Ｂを対応する電極端子１４に接続させるようになっている。
【００３４】
図４に示すように、第１プレート１３Ａ及び第２プレート１３Ｂの裏面には、下方（ｚ軸負方向）に突出する複数のリブ１９が並んで形成されている。隣り合うリブ１９によって画成される配索部２０には、絶縁被覆が施された電圧検知線２１が配索されている。
【００３５】
配索部２０に配されたそれぞれの電圧検知線２１の端部には、接続部材１５又は電力取出端子１６が圧接されている。
【００３６】
複数の電圧検知線２１は、１つにまとめられて電圧検知用ハーネス２２を構成する。各電圧検知線２１の接続部材１５又は電力取出端子１６が圧接された端部とは反対側の端部は、共通のコネクタ２３に収容され、コネクタ２３が検知信号を演算処理する機能を備えたＥＣＵに接続されるようになっている。
【００３７】
図４，５に示すように、第１プレート１３Ａ及び第２プレート１３Ｂは、電圧検知線２１を保持する電線保持部２４と、電圧検知用ハーネス２２を保持する電線保持部２５と、を有している。
【００３８】
図６，７に示すように、接続部材１５及び電力取出端子１６は金属板材を所定の形状にプレス加工することにより形成される。金属板材としては、銅、銅合金、ステンレス鋼（ＳＵＳ）等、必要に応じて任意の金属材料を用いることができる。また、接続部材１５及び電力取出端子１６の表面には、スズメッキ、ニッケルメッキ等、必要に応じて任意の金属メッキ層を形成することができる。
【００３９】
図６に示すように、接続部材１５は、挿入穴１７内に挿入される突出部２６と、弾性変形する湾曲部２７と、を有する。湾曲部２７は、第１プレート１３Ａと第２プレート１３Ｂとが平面状態で単電池群１２の上面に載置されるときに、対応する２つの電極端子１４に当接して弾性変形し圧着するように構成されている。
【００４０】
突出部２６は、弾性変形可能な係止爪２８を有する係合部２９と、電圧検知線２１に圧接する圧接部３０と、を有する。圧接部３０は、電圧検知線２１の端部にかしめられている。この構成により、電池配線モジュール１３を単電池群１２に組み付ける際に、電圧検知線２１をボルト止めする必要がないため、複数の単電池１１を直列接続する際の工数を削減することができる。
【００４１】
湾曲部２７の長手方向（ｙ軸方向）についての長さ寸法は、２つ並べた単電池１１の幅寸法よりも小さく設定されている。
【００４２】
図７に示すように、電力取出端子１６は、挿入穴１７内に挿入される突出部３１と、第１プレート１３Ａと第２プレート１３Ｂとが平面状態のときに、最外側の単電池１１の１つの電極端子１４に接触する端子部３２と、を有する。なお、突出部３１の構成については、接続部材１５の突出部２６と同様の構成であるため、説明を省略する。
【００４３】
端子部３２には、Ｕ字型の切り込み部３３が形成されている。切り込み部３３のｙ軸方向の間隔は、電極端子１４の直径以上になるように形成されている。第１プレート１３Ａと第２プレート１３Ｂとが平面状態のときには、この切り込み部３３内に最外側の単電池１１の電極端子１４が挟まれるようになっている。
【００４４】
よって、図１に示すように、最外側の単電池１１の電極端子１４において、電力取出端子１６の端子部３２と電力取出用の配線３５とがナット３４により共締めされることにより、これらの電極端子１４Ｐ，１４Ｎと電力取出用の配線３５とが電気的に接続されるようになっている。
【００４５】
ここで、ナット３４は、単電池群１２の最外側に位置する２つの単電池１１の、各接続部材１５と接続されない残りの電極端子１４Ｐ，１４Ｎと、これら２つの電極端子にそれぞれ接触する電力取出端子１６とを締結する締結部材を構成する。
【００４６】
また、２つの電力取出端子１６は、最外側に位置する２つの単電池１１に関して対角位置に配置されるように、第１プレート１３Ａと第２プレート１３Ｂとに分かれて設けられている。これにより、第１プレート１３Ａと第２プレート１３Ｂとが平面状態を維持するように電池配線モジュール１３を固定することができる。
【００４７】
図８に示すように、第１プレート１３Ａ及び第２プレート１３Ｂは、複数の接続部材１５及び電力取出端子１６の突出部２６，３１が挿入されるＴ字型の複数の挿入穴１７を側面に有する。
【００４８】
さらに、図９に示すように、第１プレート１３Ａ及び第２プレート１３Ｂは、突出部２６，３１が挿入穴１７の所定の位置まで挿入された場合に、係止爪２８を係止する係合受け部３６を有する。
【００４９】
係止爪２８は、係合部２９がＴ字型の挿入穴１７の上部１８に挿入される際に、上部１８の厚み（ｚ軸方向）に収まるように弾性変形し、突出部２６，３１が所定の位置まで挿入されたときに、係合受け部３６と係合されて弾性復帰するようになっている。ここで、挿入穴１７の上部１８は、係合部２９のｚ軸方向の上下動を規制するようになっている。
【００５０】
また、図９は、第１プレート１３Ａと第２プレート１３Ｂとが平面状態のときに、湾曲部２７が弾性変形による反力で各単電池１１の各電極端子１４に圧着される様子を示している。
【００５１】
次に、本実施の形態に係る電池配線モジュール１３を単電池群１２に組み付ける手順の一例を説明する。
【００５２】
まず、図２に示すように、隣り合う電極端子１４の極性が逆向きになるように配置された複数の単電池１１からなる単電池群１２を準備する。ここで、単電池群１２は、奇数個の単電池を並べて構成されるものとする。
【００５３】
次に、図１０に示すように、電池配線モジュール１３の下側が鈍角となるように、ヒンジ１３Ｃによって第１プレート１３Ａと第２プレート１３Ｂを折り曲げる。
【００５４】
次に、上記のように折れ曲がった状態の電池配線モジュール１３を、単電池群１２の上面における複数の単電池１１の各一対の電極端子１４間に載置する。このとき、電池配線モジュール１３は、電力取出端子１６の切り込み部３３のｙ軸方向の位置と、最外側の単電池１１の電極端子１４のｙ軸方向の位置が一致するように載置される。
【００５５】
次に、単電池群１２の上面に載置された電池配線モジュール１３を上側から押し付けて、図１に示すように、第１プレート１３Ａと第２プレート１３Ｂとを平面状態にする。これにより、図４に示すように、隣り合う２つの単電池１１の極性の異なる電極端子１４間が接続部材１５を介して電気的に接続されて、単電池群１２を構成する全ての単電池１１が直列に接続されることになる。
【００５６】
次に、図１に示すように、最外側の２つの単電池１１の電極端子１４Ｐ，１４Ｎにおいて、電力取出端子１６と配線３５の端子とをナット３４により共締めする。これにより、これらの電極端子１４Ｐ，１４Ｎと配線３５とが電気的に接続されて、電池配線モジュール１３の組み付けが完了する。
【００５７】
以上のように、本実施の形態に係る電池配線モジュール１３は、第１プレート１３Ａと第２プレート１３Ｂとが平面状態のときに、複数の接続部材１５が各電極端子１４に圧着されることにより、単電池群１２を直列接続できるため、単電池１１の電極端子１４に特殊な加工を施すことなく、これらの単電池１１を直列接続する際の工数を削減することができる。
【００５８】
また、本実施の形態に係る電池配線モジュール１３は、２つの電力取出端子１６が対角位置に配置されるため、第１プレート１３Ａと第２プレート１３Ｂとが平面状態を維持するように電池配線モジュール１３を固定することができる。
【００５９】
また、電池配線モジュール１３を単電池群１２に組み付ける際に用いるナット３４の個数は、対角位置に配置された電力取出端子１６を固定する２個あればよく、従来よりもナット数を少数で済ますことができるため、組み付けの工数を削減することができる。
【００６０】
また、本実施の形態に係る電池配線モジュール１３は、接続部材１５が弾性変形可能な湾曲部２７を有することにより、弾性変形による反力で湾曲部２７と電極端子１４とを密着させることができる。
【００６１】
また、本実施の形態に係る電池配線モジュール１３は、接続部材１５が係合部２９を備えるとともに、第１プレート１３Ａ及び第２プレート１３Ｂが係合受け部３６を備えることにより、複数の接続部材１５を第１プレート１３Ａ及び第２プレート１３Ｂの側面部に固定することができる。
【００６２】
（第２の実施の形態）
図１１は、第２の実施の形態に係る電池配線モジュール５０を示す斜視図である。
【００６３】
図１１に示すように、本発明の第２の実施の形態に係る電池配線モジュール５０の構成は、上述した図１〜図１０に基づいて説明した第１の実施の形態に係る電池配線モジュール１３の構成と略同一であるので、第１の実施の形態に係る電池配線モジュール１３の構成と同一の構成については、同一の符号を付してその説明は省略し、特有の構成のみを説明する。
【００６４】
図１１〜１３に示すように、電池配線モジュール５０は、単電池群１２が偶数個の単電池１１を並べて構成されている場合に適用され、単電池群１２が奇数個の単電池１１を並べて構成されている場合に適用される第１の実施の形態に係る電池配線モジュール１３を、ｙ軸方向に２つ並べたような構成になっている。
【００６５】
電池配線モジュール５０は、単電池群１２の最外側に位置する２つの単電池１１の電極端子１４にそれぞれ接触する２つの電力取出端子１６Ａ，１６Ｂを、第１プレート１３Ａの側面部に備えている。
【００６６】
さらに、図１１に示すように、電池配線モジュール５０は、ｙ軸方向に互いに隣り合って配置される２つのＵ字端子５１Ａ，５１Ｂを第２プレート１３Ｂの側面部に備えている。Ｕ字端子５１Ａ，５１Ｂの構成は、電力取出端子１６Ａ，１６Ｂと同様であり、電極端子１４との接続部がＵ字型になっている。
【００６７】
また、電力取出端子１６Ａ，１６Ｂ及びＵ字端子５１Ａ，５１Ｂのいずれにも接触しない全ての電極端子１４は、第１の実施の形態と同様に接続部材１５により２個ずつ接続される。
【００６８】
すなわち、２つの電力取出端子の一方である電力取出端子１６Ａと、２つのＵ字端子の一方であるＵ字端子５１Ａとの間では、複数の単電池のうち奇数個の単電池１１（第１グループの単電池）が直列接続される。
【００６９】
同様に、２つのＵ字端子の他方であるＵ字端子５１Ｂと、２つの電力取出端子の他方である電力取出端子１６Ｂとの間では、残りの奇数個の単電池１１（第２グループの単電池）が直列接続される。
【００７０】
図１２は、Ｕ字端子５１Ａ，５１Ｂにバスバー５２が配置された状態を示している。さらに、図１３に示すようにＵ字端子５１Ａ，５１Ｂは、対応する電極端子１４Ｐ，１４Ｎにおいて、２つのナット３４によりバスバー５２と共締めされることにより電気的に接続されるようになっている。
【００７１】
これにより、電力取出端子１６Ａと電力取出端子１６Ｂの間で、単電池群１２を構成する全ての単電池１１が直列接続される。さらに、第１プレート１３Ａと第２プレート１３Ｂとが平面状態を維持するように電池配線モジュール５０を固定することができる。
【００７２】
図１１〜１３は、単電池群１２を構成する単電池１１の個数が６個、かつ、Ｕ字端子５１Ａ，５１Ｂの両隣りに接続部材１５が１個ずつ配置されている構成を示しているが、単電池群１２を構成する単電池１１の個数に応じて接続部材１５の必要個数が変化することは言うまでもない。
【００７３】
また、電池配線モジュールの平面状態を維持するための別の構成としては、図１１に示したＵ字端子５１Ａ，５１Ｂを設ける代わりに、ヒンジ１３Ｃに図１４に示すような２個が１組となる穴５３Ａ，５３Ｂを少なくとも１組設けてもよい。
【００７４】
２つの穴５３Ａ，５３Ｂは、図１４（ａ）に示すように電池配線モジュールが折れ曲がった状態ではつながらず、図１４（ｂ）に示すように平面状態でつながって１つの貫通穴５３となる。
【００７５】
よって、電池配線モジュールを単電池群１２の上面に載置して平面状態にした後に、貫通穴５３にタッピングねじをねじ込むことにより、ヒンジ１３Ｃを固定して平面状態を維持することができる。
【００７６】
以上のように、本実施の形態に係る電池配線モジュールは、２つの電力取出端子１６Ａ，１６Ｂを第１プレート１３Ａ側に備えるとともに、隣り合う２つのＵ字端子５１Ａ，５１Ｂを第２プレート１３Ｂ側に備えているため、第１プレート１３Ａと第２プレート１３Ｂとが平面状態を維持するように電池配線モジュールを固定することができる。
【００７７】
上記の構成では、電池配線モジュールを単電池群１２に組み付ける際に用いるナットの個数は４つとなるものの、単電池１１の個数が偶数であって電力取出端子１６を対角位置に配置できない場合にも、平面状態を維持するように電池配線モジュールを固定することができる。
【００７８】
また、本実施の形態に係る電池配線モジュールは、折れ曲がった状態ではつながらず、平面状態でつながって１つの貫通穴５３となる２つの穴５３Ａ，５３Ｂがヒンジ１３Ｃに少なくとも１組形成されているため、貫通穴５３にタッピングねじをねじ込むことにより、ヒンジ１３Ｃを固定して平面状態を維持することができる。
【００７９】
以上説明したように、本発明に係る電池配線モジュールは、単電池の電極端子に特殊な加工を施すことなく、これらの単電池を直列接続する際の工数を削減することができるという効果を有し、電池配線モジュール全般に有用である。
【符号の説明】
【００８０】
１  電極端子
１０  電池モジュール
１１  単電池
１２  単電池群
１３  電池配線モジュール
１３Ａ  第１プレート
１３Ｂ  第２プレート
１３Ｃ  ヒンジ
１４，１４Ｐ，１４Ｎ  電極端子
１５  接続部材
１６  電力取出端子
１７  挿入穴
２７  湾曲部
２８  係止爪
２９  係合部
３４  ナット（締結部材）
３６  係合受け部
【図１】
2017076546.tif 000003
【図２】
2017076546.tif 000004
【図３】
2017076546.tif 000005
【図４】
2017076546.tif 000006
【図５】
2017076546.tif 000007
【図６】
2017076546.tif 000008
【図７】
2017076546.tif 000009
【図８】
2017076546.tif 000010
【図９】
2017076546.tif 000011
【図１０】
2017076546.tif 000012
【図１１】
2017076546.tif 000013
【図１２】
2017076546.tif 000014
【図１３】
2017076546.tif 000015
【図１４】
2017076546.tif 000016
【図１５】
2017076546.tif 000017
【図１６】
2017076546.tif 000018